(57)【要約】【課題】薄型でかつ係合凹部の目立たないバンドとバックルのスライドアジャスタを提供する。【解決手段】本発明はバンドとバックルのスライドアジャスタにおいて、前記バンドの外表面に凹状の滑り止めを設け、該滑り止めは前記バンドの縁部において係合凹部を形成し、前記バックルの挿通空間内に係合凸部を設け、該係合凸部と前記係合凹部が係止した状態では、前記バンドは前記バックルに接近自在であるが後退不能とされることを特徴とする。【選択図】図１
2015016150.tif 000002
【特許請求の範囲】
【請求項１】
バンドとバックルのスライドアジャスタにおいて、
前記バンドの外表面に凹状の滑り止めを設け、該滑り止めは前記バンドの縁部において係合凹部を形成し、
前記バックルの挿通空間内に係合凸部を設け、該係合凸部と前記係合凹部が係止した状態では、前記バンドは前記バックルに接近自在であるが後退不能とされることを特徴とするバンドとバックルのスライドアジャスタ。  
【請求項２】
前記係合凹部が前記バンドの対向する縁部に対称的に形成された請求項１記載のバンドとバックルのスライドアジャスタ。
【請求項３】
前記操作空間の少なくとも前記係合凸部に近接する位置に、バンドの進出方向と直交する平面内におけるバンドの揺動を規制するためのガイドを設けた請求項１または２記載のバンドとバックルのスライドアジャスタ。  
【発明の詳細な説明】
【技術分野】
【０００１】
この発明は、バンドをバックルに対してスライドさせ、バンドの長さを調節して固定するためのスライドアジャスタに関し、特に、時計バンド、スマートフォンまたは携帯型ミュージックプレーヤー用のアームバンドまたはリストバンド、靴または靴用のバンドまたはベルトと一緒に用いられるスライドアジャスタに関するものである。
【背景技術】
【０００２】
本発明者は、特許第４３６８０２３号公報（特許文献１）において、バックル厚を薄くすることにより、可及的に表面が平坦なバックル付きバンドとして、バンドの一端部を他端部に設けた筒状のバックル内に挿通して周囲長を調節しつつ環状に接続されるバックル付きバンドであって、前記一端部の縁部を直線状としこの縁部に沿って鋸歯状の係合凹部をバンド内部に後退させて形成すると共に、前記バックルの挿通空間内に係合凸部を設け、該係合凸部と前記係合凹部が係止した状態では、前記バンドの一端部は前記挿通空間を進出自在であるが後退不能とし、さらに、該挿通空間の少なくとも前記係合凸部に近接する位置に、バンドの進出方向と直交する平面内におけるバンドの揺動を規制するガイドを設けてなるものを提案している。
【０００３】
このバックル付きバンドはバンド一端部の縁部を直線状としこの縁部に沿って鋸歯状の係合凹部をバンド内部に後退させて形成しているので、鋸歯状に切除した形状が外観に現れず、意匠面における自由度を増すことができる。しかしながら、本発明は係合凹部をバンド内部に後退させて形成するので、バンド外表面に係合凹部を切除する場合に比べてバンドの厚みが増すという問題があった。また、バンド内部に形成された係合凹部内に異物が混入して動作不良を起こす虞があった。  
【０００４】
特許文献１にはバンドの一端部をバックルの挿通空間に容易に進出させるための掛止部としての突起を設けることが記載されている。突起は操作する時以外、バンドの表面から突出しないように起立・横臥自在に構成すれば、不用意に身体や物体に引っ掛かることを防止できるが、操作ごとに突起を起立・横臥するのは煩雑であった。一方、掛止部をバンドの厚さ方向に貫通する貫通穴とすると、操作の煩雑さは解消されるが、外観の体裁が悪いという問題があった。    
【先行技術文献】
【特許文献】
【０００５】
【特許文献１】特許第４３６８０２３号公報
【発明の概要】
【発明が解決しようとする課題】
【０００６】
本発明は、薄型でかつ係合凹部の目立たない、片手で操作することが可能なバンドとバックルのスライドアジャスタを提供することを目的とするものである。
【課題を解決するための手段】
【０００７】
本発明は、バンドとバックルのスライドアジャスタにおいて、前記バンドの外表面に凹状の滑り止めを設け、該滑り止めは前記バンドの縁部において係合凹部を形成し、前記バックルの挿通空間内に係合凸部を設け、該係合凸部と前記係合凹部が係止した状態では、前記バンドは前記バックルに接近自在であるが後退不能とされることを特徴とする。
【０００８】
前記係合凹部が前記バンドの対向する縁部に対称的に形成されたことが好ましい。
【０００９】
前記操作空間の少なくとも前記係合凸部に近接する位置に、バンドの進出方向と直交する平面内におけるバンドの揺動を規制するためのガイドを設けたことが好ましい。
【発明の効果】
【００１０】
本発明のスライドアジャスタは、バンドの外表面に凹状の滑り止めを設け、該滑り止めがバンドの縁部において係合凹部を形成するので、薄型のスライドアジャスタが得られると共に、滑り止めと係合凹部が一体となって形成されるので、係合凹部は滑り止めに同化して目立たない。また、凹状の滑り止めとバックルに指や手のひらを掛けて片手で容易にサイズ調整することができる。
【図面の簡単な説明】
【００１１】
【図１】本発明のスライドアジャスタの斜視図である。
【図２】図１のスライドアジャスタをバンドと平行な水平面で切断した平面図（図２（１）、（２））である。
【図３】本発明のスライドアジャスタの操作方法を示す説明図である。
【図４】本発明のスライドアジャスタを備えた腕時計の斜視図である。
【図５】スライドアジャスタの別の実施形態を示す斜視図である。
【発明を実施するための形態】
【００１２】
以下、本発明に係るスライドアジャスタの実施形態を図面に基づいて説明する。
図１はバンド１０とバックル２０からなる本発明のスライドアジャスタの斜視図、図２はこのスライドアジャスタをバンド１０と平行な水平面で切断した平面図（図２（１）、（２））であり、バックル２０の内部が示されている。
【００１３】
これらの図において、所要の長さ、幅、厚みを有するバンド１０の外表面には、先端から末端にかけて凹状の滑り止め１５が設けられ、該滑り止め１５はバンド１０の縁部において鋸歯状の係合凹部１２を形成する。バンド１０の長さ、幅および厚については、スライドアジャスタの使用目的により適宜決定される。
【００１４】
本実施形態では、滑り止め１５をバンド１０の幅方向に直線状に連続して設けたが、バンド１０をバックル２０に片手で引き寄せることができる程度の摩擦力を指先や手のひらに発生させるものであれば、滑り止め１５の大きさと形状に格別の制限はない。上記実施形態では、滑り止め１５の長さ（バンド１０の幅方向の長さ）を係合凹部１２とは反対側のバンド１０の縁部を突き抜けない長さとしたが、滑り止め１５を係合凹部１２とは反対側のバンド１０の縁部を突き抜ける長さとすれば、滑り止め１５や係合凹部１２に雨水や埃が溜まるのを防ぐことができる。
【００１５】
係合凹部１２の形状は上記鋸歯状に限定されるものではないが、後述する係合凸部との係止が確実なものとなるようにする必要がある。上記実施形態では、バンド１０の厚方向の中途まで係合凹部１２を切欠いたが、当該切欠きをバンド１０の厚方向に完全に切欠いた係合凹部１２としてもよい。同様に、滑り止め１５もバンド１０の厚方向の中途まで切欠いたが、当該切欠きをバンド１０の厚方向に完全に切欠いてもよい。
【００１６】
バックル２０は、底板２１、これに対向する天板２２、および底板２１と天板２２とを接続する側板２３、２３とからなる偏平かつ筒状のバックル本体により主体が構成されている。バックル本体はバンド１０のスライド方向が挿通口として開口され、その内部はバンド１０の挿通空間２６となる。
【００１７】
バックル２０の挿通空間２６には、前記係合凹部１２と係合する係合凸部３１を設ける。本実施形態では、バンド１０の縁部と平行に細長い操作片３０を配装し、操作片３０の一端部を係合凸部３１としている。操作片３０の他端部は押圧部３２として係合凸部３１と反対方向に膨出させ、バックル２０の側板２３に設けた小窓２７から突出させている。操作片３０はその長手方向の中程に連結軸３５を有し、該連結軸３５をバックル２０の天板２２および／または底板２１に支承することにより、操作片３０は中間軸３５の周囲に揺動自在となっている。
【００１８】
この実施形態では連結軸３５の断面を円形としたが、矩形、楕円形、その他種々の断面形状とすることができる。連結軸３５は操作片３０を揺動自在に軸支すると共に、滑らかな操作性を確保する為に可及的に細くすることが望まれるが、反復的な揺動により破損しない形状、大きさとすれば良い。
【００１９】
バックル２０は、可撓性を有する合成樹脂により成型することができ、特に、操作片３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００２０】
続いて、上記スライドアジャスタの作用を説明する。図２（１）は、バックル２０の挿通空間２６内にバンド１０が挿入され、バンド１０の縁部に形成された係合凹部１２にバックル２０の係合凸部３１が係合した状態を示している。
【００２１】
バンド１０を押圧部３２側（図２（１）において左側）からバックル本体の挿通空間２６内に進入させていくと、連結軸３５を中心として操作片３０が回転して、係合凸部３１は係合凹部１２から外れて隣の係合凹部１２と噛み合う。この状態では、図２（１）に示すように、係合凸部３１が所定の係合凹部１２と噛み合って係止しているので、バンド１０はバックル２０に対して進出自在であるが、後退不能である。
【００２２】
バックル２０の挿通空間２６の大きさは、バンド１０がスムーズに挿通可能であれば良いが、係合凸部３１に近接する位置において、バンド１０の進出方向と直交する平面内におけるバンド１０の揺動を規制するガイドを設けることが好ましい。ガイドを設置することにより、バンド１０がスムーズに挿通するばかりでなく、バンド１０の係合凹部１２とバックル２０の係合凸部３１との係合が的確に行われ、係合凸部３１近辺における操作片３０の破損、または、係合凹部３１近辺におけるバンド１０の座屈といった障害を回避することができる。
【００２３】
バックル２０の挿通空間２６内にガイドを設置するには、挿通空間２６を係合凸部３１に近接する位置においてバックル２０の内壁を部分的に狭めることにより形成することが望ましく、必ずしもバックル２０と別体のガイド部材を設置するには及ばない。ガイドの縦横の長さは、バンド１０の幅および厚と可及的に等しくし、バンド１０の周囲と接触する程度とすることが好ましい。バンド進出方向におけるガイドの長さは、前記した隣り合う係合凹部１２、１２同士の間隔と同等またはそれ以上とすることが好ましい。
【００２４】
係合凹部１２と係合凸部３１の係合を解除して、バンド１０を前記進行方向と逆方向に後退させるには、図２（２）に示すように小窓２７から押圧部３２を軽く指で押せば良い。押圧部３２が付勢されて、連結軸３５を中心として操作片３０が回転する結果、反対側に位置する係合凸部３１と係合凹部１２との噛み合いが解除されるので、バンド１０を自由にスライドさせることができるようになる。押圧部３２は合成樹脂の弾性により元の水平状態に復帰する。
【００２５】
本発明によれば、バンド１０の外表面に設けた凹状の滑り止め１５がバンド１０の縁部において係合凹部１２を形成するため、外観の体裁の良い極めて薄型のスライドアジャスタが得られる。即ち、滑り止め１５と係合凹部１２とが一体となって構成されるので係合凹部１２が滑り止め１５に同化して目立たない。また、係合凹部１５と滑り止め１２とを一体化することで製造が容易となり、製造コストを軽減化できる。
【００２６】
上記実施形態において、図３に示すようにバックル２０と滑り止め１５に片手の指先を掛けて両者を引き寄せれば、図２に示すように係合凹部１２と係合凸部３１が擦り合いながら、バンド１０は挿通空間２６内を進行し、最適なサイズに調節することができる。この状態では係合凹部１２と係合凸部３１が係止するので、前記進行方向と逆方向の力が作用してもバンド１０が緩むことはない。
【００２７】
図４は本発明のスライドアジャスタを備えた腕時計の斜視図であり、円盤状の時計本体２に接続されたバンド１０はバックル２０において係止され、環状に連結されている。図４に示すようにバンド１０にはストッパー１７を設けておくことが好ましい。バンド１０が緩んだとき、ストッパー１７がバックル２０に当接して、押圧部３２による係合解除時においても、バンド１０が挿通空間２６から抜けてバンド１０のリング状態が解消されることが防止される。本実施形態のバンド１０を囲繞するリング状のストッパー１７はバンド１０を束ねる作用も有している。
【００２８】
次に、スライドアジャスタの別の実施形態について、図５を参照しながら説明する。図５は本実施形態におけるスライドアジャスタの斜視図である。
本実施形態では、バンド１０の外表面に凹状の滑り止め１５が曲線状に設けられ、係合凹部１２がバンド１０の対向する縁部に対称的に形成されている。滑り止め１５を曲線状に設けることにより、その表面積が広くなるので、バンド１０をバックル２０に引き寄せる際に、指先や手のひらに発生する摩擦力が大きくなり、サイズ調節の操作性が向上する。
【符号の説明】
【００２９】
１０    バンド
１２    係合溝
１５    滑り止め
１７    ストッパー
２０    バックル
２１    底板
２２    天板
２３    側板
２６    挿通空間
３０    操作片
３１    係合爪
３２    押圧部
３５    連結軸
【図１】
2015016150.tif 000003
【図２】
2015016150.tif 000004
【図３】
2015016150.tif 000005
【図４】
2015016150.tif 000006
【図５】
2015016150.tif 000007